(57)【要約】      （修正有）【課題】塵埃や水の支承に対する影響を効果的に防止して、支承の耐食性を向上させる、耐久性に優れた橋梁支承用防塵カバーを提供する。【解決手段】橋梁支承用防塵カバーは、橋梁の上埋設鋼部材と下埋設鋼部材との間に位置する支承の防塵に用いられ、防塵布により環状に形成されるカバー本体２を含み、カバー本体の両端において開口され、カバー本体の２つの開口が設けられた端にはそれぞれ吸着部材１が設置され、２つの吸着部材が、それぞれ上埋設鋼部材及び下埋設鋼部材に吸着することにより、カバー本体が支承の外周をカバーするように構成される。カバー本体の周壁において、カバー本体の２つの開口が設けられた端を結ぶ線の方向に沿って、開閉可能な封じ口３が設けられ、封じ口の開閉により、カバー本体と支承とが分離されたり、カバー本体により支承を封止したりするように構成される。【選択図】図１
0003235508.tif 000002
【実用新案登録請求の範囲】
【請求項１】
橋梁の上埋設鋼部材と下埋設鋼部材との間に位置する支承の防塵に用いられ、
防塵布により環状に形成されるカバー本体を含み、前記カバー本体の両端において開口され、前記カバー本体の２つの開口が設けられた端にはそれぞれ吸着部材が設置され、２つの前記吸着部材がそれぞれ前記上埋設鋼部材及び前記下埋設鋼部材に吸着することにより、前記カバー本体が前記支承の外周をカバーするように構成され、
前記カバー本体の周壁において、前記カバー本体の２つの開口が設けられた端を結ぶ線の方向に沿って、開閉可能な封じ口が設けられ、前記封じ口の開閉により、前記カバー本体と前記支承とが分離されたり、前記カバー本体により前記支承を封止したりするように構成されることを特徴とする
橋梁支承用防塵カバー。
【請求項２】
前記吸着部材は磁石であることを特徴とする
請求項１に記載の橋梁支承用防塵カバー。
【請求項３】
前記吸着部材は長尺状構造であり、前記吸着部材は、前記カバー本体により環状に形成される周壁に沿って、前記開口が設けられた端において一周して形成されることを特徴とする
請求項１に記載の橋梁支承用防塵カバー。
【請求項４】
前記吸着部材の外周に縁取り布が環装されることを特徴とする
請求項１に記載の橋梁支承用防塵カバー。
【請求項５】
前記封じ口は線ファスナー又は面ファスナーであることを特徴とする
請求項１に記載の橋梁支承用防塵カバー。
【請求項６】
前記防塵布により環状に形成される前記カバー本体の形状は、環状立体構造又はエッジを有する立体構造であることを特徴とする
請求項１に記載の橋梁支承用防塵カバー。
【請求項７】
前記防塵布の厚さは０．３ｍｍ〜０．５ｍｍであることを特徴とする
請求項１に記載の橋梁支承用防塵カバー。
【請求項８】
前記縁取り布の材料は防塵材料であることを特徴とする
請求項４に記載の橋梁支承用防塵カバー。
【考案の詳細な説明】
【技術分野】
【０００１】
本考案は、橋梁防食の技術分野に関し、具体的には、橋梁支承用防塵カバーに関する。
【背景技術】
【０００２】
橋梁支承は、橋梁の上部構造と下部構造とを接続するための重要な構造部材であり、橋梁と沓座との間に位置し、橋梁の上部構造が受ける荷重及び変形（変位及び回転）を橋梁の下部構造に確実に伝達することができ、橋梁の重要な力伝達装置である。このため、橋梁支承は、ある程度の防水、防塵などの機能を備えなければならない。
【０００３】
従来の橋梁支承用防塵装置は、耐久性が劣って、腐食されやすく、劣化しやすいため、橋梁支承の防水や防塵に不利である。
【考案の概要】
【０００４】
本考案は、支承への塵埃や水の影響を効果的に防止することができるとともに、耐久性に優れた橋梁支承用防塵カバーを提供することを目的とする。
【０００５】
本考案の実施例は、以下のように実現される。
【０００６】
本考案の実施例の一態様による橋梁支承用防塵カバーは、橋梁の上埋設鋼部材と下埋設鋼部材との間に位置する支承の防塵に用いられ、防塵布により環状に形成されるカバー本体を含み、前記カバー本体の両端において開口され、前記カバー本体の２つの開口が設けられた端にはそれぞれ吸着部材が設置され、２つの前記吸着部材がそれぞれ前記上埋設鋼部材及び前記下埋設鋼部材に吸着することにより、前記カバー本体が前記支承の外周をカバーするように構成され、前記カバー本体の周壁において、前記カバー本体の２つの開口が設けられた端を結ぶ線の方向に沿って、開閉可能な封じ口が設けられ、前記封じ口の開閉により、前記カバー本体と前記支承とが分離されたり、前記カバー本体により前記支承を封止したりするように構成される。
【０００７】
任意選択的に、前記吸着部材は磁石である。橋梁の上埋設鋼部材及び下埋設鋼部材が鋼材料により作製されたものであるため、磁石が鋼材料のものに吸着することにより固定することができる。
【０００８】
任意選択的に、前記吸着部材は長尺状構造であり、前記吸着部材は、前記カバー本体により環状に形成された周壁に沿って、前記開口が設けられた端において一周して形成される。一周した吸着部材と上埋設鋼部材又は下埋設鋼部材とが吸着固定され、吸着面積が増大し、したがって、カバー本体が完全閉鎖の状態になって支承をカバーする。
【０００９】
任意選択的に、前記吸着部材の外周に縁取り布が環装される。吸着部材に異物が付着して吸着効果に影響を与えることを避けるように、縁取り布は、防塵機能を備える材料により作製してもよい。
【００１０】
任意選択的に、前記封じ口は線ファスナー又は面ファスナーである。これらは、カバー本体の開閉の利便性向上に寄与できる。
【００１１】
任意選択的に、前記防塵布により環状に形成される前記カバー本体の形状は、環状立体構造又はエッジを有する立体構造である。カバー本体の形状を支承の形状に応じて変化させることが可能であり、適用性に優れる。
【００１２】
任意選択的に、前記防塵布の厚さは０．３ｍｍ〜０．５ｍｍである。比較的厚い防塵布を利用すれば、防塵布を長く使用することができ、橋梁支承用防塵カバーの耐久性を向上させることができる。
【００１３】
任意選択的に、前記縁取り布の材料は防塵材料である。吸着部材を清潔に保ち、吸着部材に他の異物が付着して吸着効果に影響を与えることを避けることができる。
【００１４】
本考案の実施例は、下記の有益な効果を有する。
【００１５】
本考案の実施例による橋梁支承用防塵カバーは、橋梁の上埋設鋼部材と下埋設鋼部材との間に位置する支承の防塵に用いられ、防塵布により環状のカバー本体を形成し、カバー本体が支承の外周をカバーし、カバー本体の両端が開口しており、２つの開口が設けられた端には、それぞれ吸着部材が設置されており、吸着部材でそれぞれ上埋設鋼部材及び下埋設鋼部材に吸着することにより、支承をカバー本体に封止し、支承に対して防塵、防水を行い、支承への塵埃や水の影響を効果的に防止して、支承の耐食性を向上させる。そして、防塵布により形成されたカバー本体は劣化しにくく、耐久性に優れる。カバー本体の周壁には、カバー本体の２つの開口が設けられた端を結ぶ線の方向に沿って封じ口が設けられ、封じ口は開閉可能であり、封じ口を開けて、カバー本体で支承をカバーし、そして封じ口を閉じることにより、カバー本体により支承を封止して、防塵、防水を行う。カバー本体を支承から取り外すときには、封じ口を開ければよく、着脱が容易であり、橋梁支承用防塵カバーの交換や、支承８に対する点検及びメンテナンスなどの利便性向上に寄与する。そして、カバー本体は、防塵布により環状に形成され、防塵布が軟性材料のものであるため、防塵布により環状になるカバー本体の形状を支承の具体的な形状に応じて変化させることが可能であり、支承の形状及び大きさに限定されなく、適用範囲が広い。
【図面の簡単な説明】
【００１６】
本考案における実施例の技術案をより明瞭に説明するため、以下、実施例の説明に必要な図面を簡単に説明する。説明する図面は、本考案の一部の実施例を示すものにすぎず、範囲を限定するものではない。当業者は、発明能力を用いなくても、これらの図面をもとに、他の関連図面を得ることが可能である。
【図１】本考案の実施例による橋梁支承用防塵カバーの模式的構成図である。
【図２】本考案の実施例による橋梁支承用防塵カバーが橋梁支承に設置されたときの一例を示す模式的構成図である。
【図３】本考案の実施例による橋梁支承用防塵カバーが橋梁支承に設置されたときの他の一例を示す模式的構成図である。
【考案を実施するための形態】
【００１７】
本考案の実施例の目的、技術案及び利点をより明瞭にするため、以下、本考案の実施例に用いられる図面を参照しながら、本考案の実施例における技術案を明瞭かつ完全に説明する。説明される実施例は本考案の一部の実施例にすぎず、全ての実施例ではないことは無論である。ここで図面を用いて示した本考案の実施例における部品は、様々な異なる構成で配置、設計することが可能である。
【００１８】
このため、以下の図面に示された本考案の実施例に対する詳細な説明は、本考案の選択された実施例にすぎず、保護しようとする本考案の範囲を限定するものではない。本考案の実施例をもとに、当業者が発明能力を用いることなく得た全ての他の実施例も、本考案の保護範囲に属する。
【００１９】
なお、同様な符号は、図面において同様なものを示すので、１つの図面で定義された場合、その他の図面でさらに定義、解釈することが不要になる。
【００２０】
本考案の説明において、「中心」、「上」、「下」、「左」、「右」、「鉛直」、「水平」、「内」、「外」等の用語で表された方向又は位置関係は、図面に基づくものであり、あるいは該考案製品の通常の配置方向又は位置関係であり、本考案を簡単及び簡略に説明するためのものにすぎず、該当装置又は要素が、必ずしも特定の方向を有したり、特定の方向に構成、操作されたりすることを明示又は暗示するものではないため、本考案を限定するものではないと理解すべきである。また、「第１」、「第２」、「第３」などの用語は、区別して説明するためのものにすぎず、相対重要性を明示又は暗示するものではない。
【００２１】
また、「水平」、「鉛直」等の用語は、部品を絶対的な水平又は鉛直に設置すると意味するのではなく、少し傾斜してもよい。例えば「水平」とは、該当構成の方向が、「鉛直」に対する水平となるように、必ず完全水平になるのではなく、少し傾斜してもよい。
【００２２】
本考案の説明において、明確な定義や限定がない限り、用語の「設置」、「取付」、「連係」、「接続」を、広義的に理解すべきである。例えば固定接続でもよいし、取外し可能な接続でもよいし、一体的な接続でもよい。そして、機械的な接続でもよいし、電気的な接続でもよい。また、直接接続してもよいし、中間物を介して間接的に接続してもよいし、２つの素子の内部が連通してもよい。当業者は、本考案における上記用語の具体的な意味を、具体的な状況に応じて理解することができる。
【００２３】
橋梁支承は、橋梁の上部構造と下部構造とを接続するものであり、橋梁と沓座との間に位置し、橋梁の上部構造が受ける荷重及び変形（変位及び回転）を橋梁の下部構造に確実に伝達するもので、橋梁の重要な力伝達装置となっている。橋梁支承の耐久性を確保するためには、橋梁支承に、一定の防水、防塵などの機能を付与する必要があり、これによって、橋梁の安全性を向上させることができる。
【００２４】
これに鑑みて、本実施例では、耐久性に優れ、かつ劣化しにくく、空気中の塵埃が支承８の摺動面に及ぼす影響を効果的に防止することができるとともに一定の防水作用を有する橋梁支承用防塵カバーを提供する。本橋梁支承用防塵カバーは、着脱が簡単で、交換が容易で、橋梁支承に対する点検やメンテナンスの利便性向上に寄与する。
【００２５】
図１に示すように、本実施例による橋梁支承用防塵カバーは、支承８の防塵に用いられ、図２に示すように、支承８が橋梁の上埋設鋼部材５と下埋設鋼部材６との間に位置し、前記橋梁支承用防塵カバーは、防塵布により形成される環状のカバー本体２を含み、カバー本体２の両端において開口され、カバー本体２の２つの開口が設けられた端にはそれぞれ吸着部材１が設置され、２つの吸着部材１が、それぞれ上埋設鋼部材５及び下埋設鋼部材６に吸着することにより、カバー本体２が支承８の外周をカバーするように構成される。カバー本体２の周壁において、カバー本体２の２つの開口が設けられた端を結ぶ線の方向に沿って、開閉可能な封じ口３が設けられ、封じ口３の開閉により、カバー本体２と支承８とが分離されたり、カバー本体２により支承８を封止したりするように構成される。
【００２６】
防塵布により環状にカバー本体２が形成され、形成されたカバー本体２は、両端が開口し、内部が中空の構造であり、中空の内部は、支承８をカバーするために使用される。
【００２７】
防塵布により環状に形成されるカバー本体２の形状として、本実施例による環状立体構造であってもよく、例えば内部が中空の直方体のようなエッジを有する立体構造であってもよい。防塵布が軟性材料のものであるため、防塵布により環状に形成されるカバー本体２の形状は、支承８の具体的な形状に応じて変化させることが可能である。
【００２８】
防塵布の厚さは０．３ｍｍ〜０．５ｍｍであり、比較的厚い防塵布を利用すれば、防塵布を長く使用することができ、橋梁支承用防塵カバーの耐久性を向上させることができる。
【００２９】
カバー本体２の２つの開口が設けられた端にはそれぞれ吸着部材１が設置され、２つの吸着部材１が、それぞれ上埋設鋼部材５及び下埋設鋼部材６に吸着するように構成されている。したがって、カバー本体２が支承８をカバーしているとき、カバー本体２の２つの開口が設けられた端がそれぞれ上埋設鋼部材５及び下埋設鋼部材６と固定接続されて、支承８が橋梁支承用防塵カバーに封止される。
【００３０】
カバー本体２の周壁には開閉可能な封じ口３が設けられており、例えば封じ口３は線ファスナー又は面ファスナーであってもよい。封じ口３はカバー本体２の２つの開口が設けられた端を結ぶ線の方向に沿って設けられ、封じ口３を開け、すなわち、カバー本体２を開けて、支承８の外周を包んで、そして封じ口３を閉じれば、支承８を封止することができる。そして、封じ口３を開ければ、橋梁支承用防塵カバーを支承８から取り外すことができる。封じ口３により、橋梁支承用防塵カバーの着脱が容易になる。
【００３１】
本考案の実施例による橋梁支承用防塵カバーは、橋梁の上埋設鋼部材５と下埋設鋼部材６との間に位置する支承８の防塵に用いられ、防塵布により環状のカバー本体２を形成し、カバー本体２が支承８の外周をカバーし、カバー本体２の両端が開口しており、２つの開口が設けられた端には、それぞれ吸着部材１が設置されており、吸着部材１でそれぞれ上埋設鋼部材５及び下埋設鋼部材６に吸着することにより、支承８をカバー本体２で封止し、支承８に対して防塵、防水を行い、支承８への塵埃や水の影響を効果的に防止して、支承８の耐食性を向上させる。そして、防塵布により形成されたカバー本体２は劣化しにくく、耐久性に優れる。カバー本体２の周壁には、カバー本体２の２つの開口が設けられた端を結ぶ線の方向に沿って封じ口３が設けられており、封じ口３は開閉可能であり、封じ口３を開けて、カバー本体２で支承８をカバーし、そして封じ口３を閉じることにより、カバー本体２により支承８を封止して、防塵、防水を行う。カバー本体２を支承８から取り外すときには、封じ口３を開ければよく、着脱が容易であり、橋梁支承用防塵カバーの交換や、支承８に対する点検及びメンテナンスなどの利便性向上に寄与できる。カバー本体２は、防塵布により環状に形成され、防塵布が軟性材料のものであるため、防塵布により環状に形成されるカバー本体２の形状を支承８の具体的な形状に応じて変化させることが可能であり、支承８の形状及び大きさに限定されなく、適用範囲が広い。具体的に、吸着部材１は磁石であってもよく、橋梁の上埋設鋼部材５及び下埋設鋼部材６が鋼材料により作製されたものであるため、磁石が鋼材料のものに吸着することにより固定することができる。
【００３２】
吸着部材１は長尺状構造であり、吸着部材１の断面が円形、矩形、又は他の形状である。吸着部材１の断面が円形である場合、吸着部材１が長尺の円柱状のものとなる。吸着部材１の断面が矩形である場合、吸着部材１が長尺の直方体状のものとなり、このようにすれば、吸着部材１と上埋設鋼部材５及び下埋設鋼部材６との接触面積がより大きいため、しっかりとした吸着に寄与することができる。吸着部材１は、カバー本体２が環状に形成される周壁に沿って、開口が設けられた端において一周して形成される。
【００３３】
防塵布により環状に形成されるカバー本体２は、内部が中空の構造であり、２つの開口が設けられた端がカバー本体２の周壁に沿って一周して形成され、長尺状構造の吸着部材１も開口端に沿って一周して形成され、このようにして、開口が設けられた端の各位置がいずれも吸着部材１により上埋設鋼部材５又は下埋設鋼部材６と吸着固定され、吸着面積が増大し、したがって、カバー本体２が完全閉鎖の状態になって支承８をカバーする。
【００３４】
吸着部材１の外周には縁取り布４が環装されており、吸着部材１に異物（例えば塵埃）が付着して吸着効果に影響を与えることを避けるように、縁取り布４は、防塵機能を備える材料により作製してもよい。
【００３５】
図３に示すように、橋梁支承が橋梁の上埋設鋼部材５と下埋設鋼部材６との間に位置し、橋梁支承用防塵カバーが支承８の外周に環装され、橋梁支承用防塵カバーの２つの吸着部材１がそれぞれ上埋設鋼部材５及び下埋設鋼部材６に吸着することにより、支承８を封止して、支承８に対して防塵、防水を行う。
【００３６】
上記の説明は、本考案の好ましい実施例にすぎず、本考案を限定するものではない。当業者にとって、本考案に各種の変更や変化を有してもよい。本考案の精神及び主旨から逸脱しない限り、行ったいかなる変更、均等置換、改良なども、本考案の保護範囲に属する。
【符号の説明】
【００３７】
１…吸着部材
２…カバー本体
３…封じ口
４…縁取り布
５…上埋設鋼部材
６…下埋設鋼部材
８…支承
【図１】
0003235508.tif 000003
【図２】
0003235508.tif 000004
【図３】
0003235508.tif 000005